(57)【要約】【課題】注文した商品を好適に受け取ることができる配達支援システムを提供する。【解決手段】所定の地域Ａ内のメインルート２を走行する第一の車両１０Ａと、メインルート２沿いに複数設けられた第一の車両１０Ａのサテライト１４と、メインルート２沿いの商業施設３ｂに対する利用者の注文情報と商業施設３ｂからの注文情報に係る商品の集荷情報とを受け付ける通信手段１８と、注文情報及び集荷情報に基づいて、第一の車両１０Ａが商品を集荷し、サテライト１４に配達するための第一運行計画を決定する制御部１９と、利用者に対して、商品がサテライト１４に配達される時刻を通知する通信手段１８と、を具備する。【選択図】図７
2020187521.tif 000002
【特許請求の範囲】
【請求項１】
所定の地域内の所定のルートを走行する第一の車両と、
前記所定のルート沿いに複数設けられた前記第一の車両の停留地点と、
前記所定のルート沿いの商業施設に対する前記利用者の注文情報と前記商業施設からの前記注文情報に係る商品の集荷情報とを受け付ける受付手段と、
前記注文情報及び前記集荷情報に基づいて、前記第一の車両が前記商品を集荷し、前記停留地点に配達するための運行計画を決定する運行計画決定手段と、
前記利用者に対して、前記商品が前記停留地点に配達される時刻を通知する通知手段と、
を具備する配達支援システム。
【請求項２】
前記運行計画決定手段は、
前記注文情報及び前記集荷情報に基づいて、前記商品を集荷する前記商業施設及び前記商品を配達する前記停留地点を決定すると共に、当該商業施設及び当該停留地点に停車するように運行計画を決定する、
請求項１に記載の配達支援システム。
【請求項３】
前記第一の車両は、
少なくとも前記所定のルートを自動運転により走行する自動運転車両である、
請求項１又は請求項２に記載の配達支援システム。
【請求項４】
前記地域内における所定の乗車地点と前記停留地点との間を移動可能な第二の車両を更に具備し、
前記受付手段は、前記第二の車両に対する乗車時間及び降車時間のうちの少なくとも一方と、前記乗車地点と、前記複数の停留地点のうち任意の停留地点と、を含む前記利用者からの当該第二の車両の利用のための予約情報を受け付け、
前記運行計画決定手段は、
前記予約情報に基づいて前記第二の車両の運行計画を決定する、
請求項１から請求項３までのいずれか一項に配達支援システム。
【請求項５】
前記所定のルートは、
前記地域内の所定の施設に沿うように設定されており、
前記第一の車両は、
前記施設から前記停留地点まで送迎対象者を送迎可能とされている、
請求項１から請求項４までのいずれか一項に配達支援システム。
【発明の詳細な説明】
【技術分野】
【０００１】
本発明は、配達支援システムの技術に関する。
【背景技術】
【０００２】
従来、利用者が注文した商品を当該利用者に配達するための配達システムの技術は公知となっている。例えば、特許文献１に記載の如くである。
【０００３】
特許文献１には、利用者の配達希望商品に関する配達情報に基づいて上記商品を購入可能な店舗でピックアップし、当該商品を途中で荷下ろしすることなく利用者の自宅に配達することを自動車の運転者に対して指示する即日配達システムが記載されている。
【０００４】
上述のような即日配達システムでは、商品は、利用者が指定した配達希望時間に応じた配達時間で配達される。しかしながら、上記配達時間は道路の混雑等の交通状況により正確に予想し難いことから、ある程度の幅を持たせてた時間帯が配達時間として指定される。このため、利用者は、上記時間帯の間、自宅に滞在する必要があり、利便性の観点から更なる改善が望まれる。
【先行技術文献】
【特許文献】
【０００５】
【特許文献１】特開２００６−１２４０９９号公報
【発明の概要】
【発明が解決しようとする課題】
【０００６】
本発明は、以上の如き状況を鑑みてなされたものであり、その解決しようとする課題は、注文した商品を好適に受け取ることができる配達支援システムを提供するものである。
【課題を解決するための手段】
【０００７】
本発明の解決しようとする課題は以上の如くであり、次にこの課題を解決するための手段を説明する。
【０００８】
即ち、請求項１においては、所定の地域内の所定のルートを走行する第一の車両と、前記所定のルート沿いに複数設けられた前記第一の車両の停留地点と、前記所定のルート沿いの商業施設に対する前記利用者の注文情報と前記商業施設からの前記注文情報に係る商品の集荷情報とを受け付ける受付手段と、前記注文情報及び前記集荷情報に基づいて、前記第一の車両が前記商品を集荷し、前記停留地点に配達するための運行計画を決定する運行計画決定手段と、前記利用者に対して、前記商品が前記停留地点に配達される時刻を通知する通知手段と、を具備するものである。
【０００９】
請求項２においては、前記運行計画決定手段は、前記注文情報及び前記集荷情報に基づいて、前記商品を集荷する前記商業施設及び前記商品を配達する前記停留地点を決定すると共に、当該商業施設及び当該停留地点に停車するように運行計画を決定するものである。
【００１０】
請求項３においては、前記第一の車両は、少なくとも前記所定のルートを自動運転により走行する自動運転車両であるものである。
【００１１】
請求項４においては、前記地域内における所定の乗車地点と前記停留地点との間を移動可能な第二の車両を更に具備し、前記受付手段は、前記第二の車両に対する乗車時間及び降車時間のうちの少なくとも一方と、前記乗車地点と、前記複数の停留地点のうち任意の停留地点と、を含む前記利用者からの当該第二の車両の利用のための予約情報を受け付け、前記運行計画決定手段は、前記予約情報に基づいて前記第二の車両の運行計画を決定するものである。
【００１２】
請求項５においては、前記所定のルートは、前記地域内の所定の施設に沿うように設定されており、前記第一の車両は、前記施設から前記停留地点まで送迎対象者を送迎可能とされているものである。
【発明の効果】
【００１３】
本発明の効果として、以下に示すような効果を奏する。
【００１４】
請求項１においては、注文した商品を好適に受け取ることができる。
【００１５】
請求項２においては、注文情報及び集荷情報に基づいて、停止する商業施設及び停留地点を決定することで、より効率的な集荷及び配達が可能となる。
【００１６】
請求項３においては、第一の車両の運転にかかるコストを軽減することができる。
【００１７】
請求項４においては、注文した商品をより好適に受け取ることができる。
【００１８】
請求項５においては、第一の車両を、所定の施設から停留地点までの送迎のための車両として利用することができる。
【図面の簡単な説明】
【００１９】
【図１】本発明の一実施形態に係る車両利用システム（配車システム）が用いられる地域の一例を示した模式図。
【図２】車両利用システム（配車システム）の概略を示したブロック図。
【図３】配車システムの優先順位決定処理を示したフローチャート。
【図４】配車システムの配車計画決定処理を示したフローチャート。
【図５】配車システムの配車計画変更処理を示したフローチャート。
【図６】配達支援システムが用いられる地域の一例を示した模式図。
【図７】配達支援システムの概略を示したブロック図。
【図８】配達支援システムの第一運行計画決定処理を示したフローチャート。
【図９】配達支援システムの第二運行計画決定処理を示したフローチャート。
【発明を実施するための形態】
【００２０】
本発明の一実施形態に係る車両利用システム１は、所定の地域Ａ内を移動する車両１０を利用して、地域Ａに居住する利用者又は物品を輸送するためのものである。
【００２１】
以下では、まず、図１を用いて、地域Ａについて説明する。
【００２２】
地域Ａは、適宜区画された土地を示す区域である。地域Ａとしては、例えば、所定の市町村や市町村の一部の領域が挙げられる。地域Ａには、メインルート２及びサブルート４が設けられている。
【００２３】
メインルート２は、地域Ａ内を移動可能な道路である。メインルート２は、地域Ａの略中央に設けられている。メインルート２は、環状とされている。メインルート２は、地域Ａにおける主要な施設３に沿うように設定される。施設３には、駅やバス停等の交通施設３ａ、商業施設３ｂ、学校や学習塾等の教育施設３ｃが含まれる。上記各施設は、地域Ａ内に複数設けられている。また、施設３としては、上記したものの他に、医療施設、福祉施設及び公民館等、種々の施設が含まれる。
【００２４】
サブルート４は、メインルート２から分岐した道路である。サブルート４は、複数設けられている。サブルート４は、メインルート２の外側又は内側に延びるように設けられている。サブルート４は、住宅５に沿うように設定される。
【００２５】
以下では、図２を用いて、車両利用システム１について説明する。車両利用システム１は、車両１０、端末装置１３、サテライト１４及び利用計画システム１７を具備する。
【００２６】
車両１０は、メインルート２及びサブルート４を走行することで、地域Ａ内の乗車地点から降車地点まで利用者を移動させることが可能なものである。車両１０は、複数の利用者を乗車可能とされている。車両１０は、地域Ａ内に居住する住人に共用される。なお、車両１０は、住人に共同で所有（シェア）されるものでもよく、バス会社等の運行主体が所有するものであってもよい。また、車両１０は、荷物を積載可能とされている。車両１０は、自動運転による走行が可能な自動運転車両である。車両１０は、通信手段１１及び自動運転手段１２を具備する。
【００２７】
通信手段１１は、所定の情報を送受信可能なものである。通信手段１１は、所定のネットワークを介して後述する利用計画システム１７と接続可能とされている。
【００２８】
自動運転手段１２は、自動運転による走行を可能とするものである。自動運転手段１２は、カメラ部１２ａ、ＧＰＳ部１２ｂ、モニタ部１２ｃ及び自動運転制御部１２ｄを具備する。
【００２９】
カメラ部１２ａは、車両１０の前方、後方及び左右両側方の映像を撮像するものである。カメラ部１２ａによる映像は、通信手段１１によって後述する利用計画システム１７に送信される。
【００３０】
ＧＰＳ部１２ｂは、車両１０の位置情報を特定可能なものである。ＧＰＳ部１２ｂによって特定された位置情報は、通信手段１１によって後述する利用計画システム１７に送信される。
【００３１】
モニタ部１２ｃは、車両１０の車内において、カメラ部１２ａによる映像や自動運転による走行状況等の情報を表示させるものである。これにより、車内の利用者は、自動運転による走行状況を確認することができる。
【００３２】
自動運転制御部１２ｄは、カメラ部１２ａによる映像や所定の走行ルートに基づいて車両１０の発進、停止及び方向転換を行うことで、自動運転による走行を制御するものである。
【００３３】
また、車両１０は、自動運転手段１２を用いた自動運転による走行と、運転者の手動運転による走行と、を切替可能とされている。なお、手動運転としては、車両１０に搭乗した運転者による運転に限られず、遠隔地の運転者による所定の遠隔運転手段を介した遠隔運転が含まれる。
【００３４】
また、車両１０は、地域Ａ内の所定の場所に駐車される。車両１０の駐車場所としては、地域Ａに居住する利用者が提供する住宅５の空きスペースが考えられる。すなわち、地域Ａ内の利用者が自動車の運転免許を返納した等の事情により、住宅５の駐車スペースに空きが生じた場合、当該駐車スペースを車両１０の駐車場所として有効利用することが考えられる。
【００３５】
端末装置１３は、利用者により用いられる通信機能を有する装置である。端末装置１３は、所定のネットワークを介して後述する利用計画システム１７と接続可能とされている。端末装置１３としては、携帯電話やタブレット、小型パソコン等の携帯可能なものを採用してもよく、携帯不能な大型のパソコン等を採用してもよい。
【００３６】
サテライト１４は、車両１０の停留地点となる施設である。サテライト１４は、メインルート２沿いに所定距離を空けて複数設けられている。サテライト１４は、通信手段１５及び待合スペース１６を具備する。
【００３７】
通信手段１５は、所定の情報を送受信可能なものである。通信手段１５は、所定のネットワークを介して後述する利用計画システム１７と接続可能とされている。
【００３８】
待合スペース１６は、利用者が車両１０が到着するまでの時間を過ごすための空間である。待合スペース１６は、複数の利用者を収容可能とされている。待合スペース１６は、学童保育施設やコミュニティスペース等の施設として利用可能である。待合スペース１６は、椅子やテーブル等の設備を備えている。また、待合スペース１６が備える設備としては、多目的トイレ等の身障者用設備、高齢者用設備や、授乳室等の乳幼児用設備を採用可能である。
【００３９】
利用計画システム１７は、利用者からの要求に応じて車両１０の利用計画を決定するものである。利用計画は、車両１０を用いた利用者の移動や商品の配達を実現させるための計画である。利用計画には、後述する配車計画、第一運行計画及び第二運行計画が含まれる。利用計画システム１７は、通信手段１８と制御部１９とを具備する。
【００４０】
通信手段１８は、車両１０の通信手段１１、端末装置１３及びサテライト１４の通信手段１５に対して情報を送受信可能なものである。
【００４１】
制御部１９は、車両１０の利用に関する処理を実行可能なものである。制御部１９は、主としてＣＰＵ等の演算処理装置、ＲＡＭやＲＯＭ等の記憶装置、並びにタッチパネル等の入出力装置等により構成される。また、制御部１９は、プログラムや種々の情報を前記記憶装置に格納しており、当該プログラムや種々の情報を演算処理装置で読み込んで処理することで、車両利用システム１の動作等を実行することができる。
【００４２】
ここで、上述した車両利用システム１は、車両１０を利用して利用者を移動させるシステム（以下では便宜的に「配車システム１Ａ」と称する。）や物品の配達を支援するシステム（以下では便宜的に「配達支援システム１Ｂ」と称する。）として利用可能である。
【００４３】
以下では、図１から図５までを用いて配車システム１Ａについて説明する。
【００４４】
配車システム１Ａは、利用者からの要求に応じて、地域Ａ内の乗車地点（例えば住宅５等）から地域Ａ内の降車地点までの移動に用いられる車両１０を配車する。すなわち、配車システム１Ａは、利用者からの所定の情報に応じて、走行ルート及びスケジュールが決定されるデマンド型交通を構成する。上記利用者からの情報には、予約情報及び利用者情報が含まれる。
【００４５】
予約情報は、車両１０の利用のための情報である。予約情報には、乗車時間及び降車時間のうちの少なくとも一方、乗車地点及び降車地点が含まれる。利用者は、端末装置１３やサテライト１４の通信手段１５を介して、必要な予約情報を利用計画システム１７の通信手段１８に送信する。上記予約情報は、所定のアプリやウェブサイトのフォームを介して送信可能である。また、上記予約情報は、電話による通話を用いた方法によっても送信可能である。この場合、例えば、利用者は、音声案内のガイダンスに従い、電話機を介した入力又は音声認識により予約情報を送信することや、所定のオペレーターを介して予約情報を送信することが考えられる。通信手段１８に送信された予約情報は、制御部１９の記憶装置に記憶される。
【００４６】
利用者情報は、利用者に関する情報である。利用者情報には、属性情報や、乗り継ぎ情報が含まれる。
【００４７】
属性情報は、利用者の車両１０を用いた移動の必要性の程度を示す情報である。属性情報は、予約情報の送信に先立って予め制御部１９の記憶装置に記憶されている。属性情報としては、例えば、高齢者であるか否か、乳幼児を伴う利用であるか否か、障害者であるか否か、運転免許の有無、運転免許が返納済みか否か、年齢、性別、住所等が挙げられる。なお、属性情報は上述した例に限られない。
【００４８】
乗り継ぎ情報は、降車地点が交通施設３ａである場合、他の定期運行交通への乗り継ぎがあるか否かに関する情報である。定期運行交通としては、電車やバス等が挙げられる。乗り継ぎ情報は、予約情報と共に送信され、制御部１９の記憶装置に記憶される。
【００４９】
配車システム１Ａにおいて、制御部１９は、所定時間内（例えば一時間以内）に通信手段１８を介して受信した、利用者からの予約情報や乗り継ぎ情報、上記利用者の属性情報に基づいて、車両１０の配車計画を決定する。制御部１９は、配車計画を決定すべく、優先順位決定処理と、配車計画決定処理と、配車計画変更処理と、を実行する。以下、優先順位決定処理、配車計画決定処理及び配車計画変更処理について順に説明する。
【００５０】
まず、優先順位決定処理について説明する。
【００５１】
優先順位決定処理は、通信手段１８が所定時間内に予約情報を受信した場合に、予約情報の優先順位を決定する処理である。ここで、優先順位とは、予約情報（乗降車地点及び乗降車時間）を配車計画に組み込む際に、優先される予約情報の順位である。優先順位は、予約情報を送信した利用者の利用者情報に基づいて決定される。
【００５２】
以下では、上記優先順位決定処理において実行される処理について、図３のフローチャートを用いて、説明する。
【００５３】
ステップＳ１０において、制御部１９は、上記所定時間が経過したか（例えば一時間が経過したか）否かを判定する。制御部１９は、所定時間が経過したと判断した場合（ステップＳ１０：ＹＥＳ）には、ステップＳ１１の処理へ移行する。一方、制御部１９は、所定時間が経過していないと判断した場合（ステップＳ１０：ＮＯ）には、再度、ステップＳ１０の処理を繰り返す。
【００５４】
ステップＳ１１において、制御部１９は、上記所定時間内に通信手段が予約情報を受信したか否かを判定する。制御部１９は、通信手段が予約情報を受信したと判断した場合（ステップＳ１１：ＹＥＳ）には、ステップＳ１２の処理へ移行する。一方、制御部１９は、通信手段が予約情報を受信していないと判断した場合（ステップＳ１１：ＮＯ）には、優先順位決定処理を終了する。
【００５５】
ステップＳ１２において、制御部１９（演算処理装置）は、記憶装置に記憶された利用者情報を取得する。すなわち、制御部１９は、予約情報を送信した利用者の属性情報及び乗り継ぎ情報を取得する。制御部１９は、ステップＳ１２の処理を実行した後、次にステップＳ１３の処理へ移行する。
【００５６】
ステップＳ１３において、制御部１９は、予約情報の優先順位を決定する。ステップＳ１３において、制御部１９は、利用者の属性情報に基づいて車両１０を用いた移動の必要性が高い利用者の優先順位を高く設定する。ここで、車両１０を用いた移動の必要性が高いと判断される要因は、年齢や乳幼児の有無、障害の有無、運転免許の有無、運転免許が返納済みか否か等、複数の要因を挙げることができる。
【００５７】
また、制御部１９は、乗り継ぎ情報に基づいて、降車地点から他の定期運行交通への乗り継ぎの予定がある利用者の優先順位を高く設定する。これにより、電車やバス等の定期運行交通への乗り継ぎの予定がある利用者を優先して配車計画を決定することができ、予約情報の到着時間を変更したことで定期運行交通に乗り遅れる等の不利益が利用者に発生することを抑制することができる。
【００５８】
制御部１９は、上記属性情報及び乗り継ぎ情報に基づく複数の要因にそれぞれ所定の判定値を設定すると共に、当該判定値の合計が高い利用者の予約情報の優先順位を高く設定する。上記判定値は、各要因ごとに異なる値でもよく、同一の値でもよい。また、各判定値に対して、重要度に基づいて決定される所定の重み係数を必要に応じて乗算する方法を採用してもよい。
【００５９】
また、上記属性情報に基づく要因としては、上述したものに限られない。例えば、利用者が車両１０の駐車場所として住宅５の空きスペースを提供している場合には、当該空きスペースを提供していることを予約情報の優先順位を高める要因として属性情報に基づく要因に含めてもよい。
【００６０】
また、上記属性情報に基づく要因としては、優先順位を高める要因に限られず、優先順位を下げる要因も含まれる。本実施形態では、所定の期間（例えば一日）内に、同一の利用者の利用回数が所定回数を超えた場合、当該利用者の優先順位を下げる構成とされている。なお、ステップＳ１３においては、所定時間内に受信した予約情報が一つであった場合には、当該一つの予約情報を最も優先順位が高い予約情報とみなす。制御部１９は、ステップＳ１３の処理を実行した後、次にステップＳ１４の処理へ移行する。
【００６１】
ステップＳ１４において、制御部１９は、後述する配車計画決定処理へ移行し、優先順位決定処理を終了する。
【００６２】
次に、配車計画決定処理について説明する。
【００６３】
配車計画決定処理は、通信手段１８が所定時間内に受信した予約情報及び優先順位に基づいて車両１０の配車計画を決定する処理である。なお、本実施形態では、可能な限り一台の車両１０を用いて複数の利用者を移動させるように配車計画を決定するものとしている。
【００６４】
以下では、上記配車計画決定処理において実行される処理について、図４のフローチャートを用いて、説明する。
【００６５】
ステップＳ２０において、制御部１９は、予約情報が複数であるか否かを判定する。制御部１９は、予約情報が複数であると判断した場合（ステップＳ２０：ＹＥＳ）には、ステップＳ２１の処理へ移行する。一方、制御部１９は、予約情報が複数でない（一つである）と判断した場合（ステップＳ２０：ＮＯ）には、ステップＳ２１の処理へ移行する。
【００６６】
ステップＳ２１において、制御部１９は、複数の予約情報の全ての乗降車地点及び乗降車時間についての条件を充足可能であるか否かを判定する。すなわち、制御部１９は、複数の予約情報に基づいて設定された各乗車地点及び各降車地点に、予約情報に基づく乗車時間及び降車時間に到着可能であるか否かを判定する。制御部１９は、複数の予約情報の全ての条件を充足可能であると判断した場合（ステップＳ２１：ＹＥＳ）には、ステップＳ２２の処理へ移行する。一方、制御部１９は、複数の予約情報の全ての条件を充足不能であると判断した場合（ステップＳ２１：ＮＯ）には、ステップＳ２３の処理へ移行する。
【００６７】
ステップＳ２２において、制御部１９は、配車計画を決定する。配車計画においては、メインルート２及びサブルート４上に、出発地点から到達地点までの車両１０の走行ルートが設定される。上記走行ルート上には、各利用者の予約情報に基づく乗車地点及び降車地点が設定される。また、配車計画は、各乗車地点及び各降車地点に、予約情報に基づく乗車時間及び降車時間に応じた時間に車両１０が到着するように決定される。このような配車計画は、所定のアルゴリズムによって作成される。制御部１９は、ステップＳ２２の処理を実行した後、配車計画決定処理を終了する。
【００６８】
ステップＳ２３において、制御部１９は、全ての利用者の要求を概ね満足させるため、優先順位の低い利用者の乗降車時間を変更して配車計画を決定する。具体的には、制御部１９は、複数の予約情報のうち、比較的優先順位の低い利用者の利用者の乗車時間及び降車時間のうちの少なくとも一方を変更することによって、全ての利用者の乗降車地点に到着可能であり、かつ、乗降車時間の変更が許容範囲（所定時間以内）である仮の配車計画を作成する。
【００６９】
例えば、まず、制御部１９は、優先順位が最も低い利用者の乗降車時間を変更する。制御部１９は、上記変更により上記仮の配車計画を作成可能であるか否かを判断する。制御部１９は、上記最も優先順位の低い利用者の乗降車時間の変更によっても上記仮の配車計画を作成不能であると判断した場合、次に、最も優先順位の低い利用者の乗降車時間に代えて、又は加えて、優先順位が次に低い利用者の乗車時間及び降車時間のうちの少なくとも一方を変更する。こうして、制御部１９は、優先順位の低い利用者から順番に上記変更を繰り返すことで上記仮の配車計画の作成を図ることができる。
【００７０】
制御部１９は、上記比較的優先順位の低い利用者の乗降車時間を変更した場合、通信手段１８を介して、上記利用者に、乗降車時間が変更された旨を連絡する。利用者は、変更後の乗降車時間が許容できるか否かの返答を制御部１９に対して送信可能とされる。なお、制御部１９は、利用者が変更後の乗降車時間を許容不可であるとの返答を受信した場合や、上記乗車時間及び降車時間の変更によっては、上記仮の配車計画を作成不能であると判断した場合には、新たな車両１０を用いた配車計画を作成することが可能である。
【００７１】
制御部１９は、利用者が変更後の乗降車時間を許容可能であるとの返答を受信した場合、上記変更後の乗降時間に基づいた配車計画を決定する。配車計画の決定は、変更後の乗降時間を用いることを除いて、ステップＳ２２における処理と同様の方法で実行される。制御部１９は、ステップＳ２３の処理を実行した後、配車計画決定処理を終了する。
【００７２】
これにより、優先順位の高い利用者の要求に応えながらも、優先順位の高い利用者の移動と優先順位の低い利用者の移動を両立させた配車計画を決定することができる。また、利用する車両１０の台数が増えることを抑制することができ、効率的な配車計画を図ることができる。
【００７３】
上述のように配車計画を決定した後、制御部１９は、上記配車計画を通信手段１８を介して車両１０に送信する。車両１０は、乗車時間までに乗車地点に到着し、利用者を乗車させた状態で降車時間までに降車地点に到着するように、配車計画に基づいた走行ルートを自動運転により走行する。
【００７４】
次に、配車計画変更処理について説明する。
【００７５】
配車計画変更処理は、上記配車計画変更処理による配車計画の決定後、通信手段１８が新たな予約情報を受信した場合、すでに決定された配車計画の乗車時間又は降車時間に影響しない場合には、新たな予約情報に基づいて配車計画を変更する処理である。
【００７６】
以下では、上記配車計画変更処理において実行される処理について、図５のフローチャートを用いて、説明する。
【００７７】
ステップＳ３０において、制御部１９は、通信手段１８が新たな予約情報を受信したか否かを判定する。制御部１９は、新たな予約情報を受信したと判断した場合（ステップＳ３０：ＹＥＳ）には、ステップＳ３１の処理へ移行する。一方、制御部１９は、新たな予約情報を受信していないと判断した場合（ステップＳ３０：ＮＯ）には、配車計画変更処理を終了する。
【００７８】
ステップＳ３１において、制御部１９は、新たな予約情報の乗降車時間が、すでに決定された配車計画の実行時間（配車計画による車両１０の走行が実行される時間）に含まれるか否かを判定する。例えば、制御部１９は、９時から１０時まで車両１０を走行させる配車計画が決定された場合において、新たな予約情報の乗降時間が９時から１０時までの間に含まれるか否かを判定する。制御部１９は、新たな予約情報の乗降車時間が配車計画の実行時間に含まれると判断した場合（ステップＳ３１：ＹＥＳ）には、ステップＳ３２の処理へ移行する。一方、制御部１９は、新たな予約情報の乗降車時間が配車計画の実行時間に含まれないと判断した場合（ステップＳ３１：ＮＯ）には、配車計画変更処理を終了する。なお、この場合には、上記新たな予約情報に基づいて新たな車両１０を用いた配車計画が作成される。
【００７９】
ステップＳ３２において、制御部１９は、すでに決定されている配車計画に含まれる降車地点において、他の定期運行交通への乗り継ぎの予定があるか否かを判定する。制御部１９は、乗り継ぎの予定があると判断した場合（ステップＳ３２：ＹＥＳ）には、ステップＳ３３の処理へ移行する。一方、制御部１９は、乗り継ぎの予定がないと判断した場合（ステップＳ３２：ＮＯ）には、ステップＳ３４の処理へ移行する。
【００８０】
ステップＳ３３において、制御部１９は、すでに決定された配車計画を変更せず、当該配車計画を維持する。制御部１９は、ステップＳ３３の処理を実行した後、配車計画変更処理を終了する。この場合、制御部１９は、上記新たな予約情報に基づいて、新たな車両１０を用いた配車計画を作成することが可能である。
【００８１】
ステップＳ３４において、制御部１９は、新たな予約情報に基づく乗車時間又は降車時間をすでに決定された配車計画に追加した場合、当該配車計画の乗車時間又は降車時間に影響する（すでに決定された配車計画の乗車時間又は降車時間を変更する必要がある）か否かを判定する。制御部１９は、新たな予約情報に基づく乗車時間又は降車時間が、すでに決定された配車計画の乗車時間又は降車時間に影響すると判断した場合（ステップＳ３４：ＹＥＳ）には、ステップＳ３３の処理へ移行する。一方、制御部１９は、新たな予約情報に基づく乗車時間又は降車時間が、すでに決定された配車計画の乗車時間又は降車時間に影響しないと判断した場合（ステップＳ３４：ＮＯ）には、ステップＳ３５の処理へ移行する。
【００８２】
ステップＳ３５において、制御部１９は、すでに決定されている配車計画を変更する。具体的には、上記配車計画において設定された走行ルート上に、新たな予約情報に基づく乗車地点及び降車地点を追加する。また、制御部１９は、新たな予約情報に基づく乗車地点及び降車地点が上記走行ルート上にない場合には、上記走行ルートを変更する。
【００８３】
これにより、決定された配車計画の乗車時間又は降車時間に影響を与えない範囲で、新たな予約情報に基づく乗車地点及び降車地点を追加することができ、より効率的な配車計画を決定することができる。
【００８４】
また、以下では、図６から図９までを用いて配達支援システム１Ｂについて説明する。
【００８５】
図６及び図７に示す配達支援システム１Ｂは、利用者が商業施設３ｂで注文した商品の配達を支援するものである。配達支援システム１Ｂは、図６に示すように、利用者が商業施設３ｂに対して注文した商品に関する情報に基づいて、それぞれ用途が異なる第一の車両１０Ａ及び第二の車両１０Ｂを用いて配達支援を行なう。なお、第一の車両１０Ａ及び第二の車両１０Ｂは、配車システム１Ａの車両１０と同様、通信手段１１及び自動運転手段１２を備えた自動運転車両である。
【００８６】
第一の車両１０Ａは、地域Ａ内のメインルート２を巡回するものである。第一の車両１０Ａは、所定の運行計画（後述する第一運行計画）に基づき、利用者が商業施設３ｂに対して注文した商品を、商業施設３ｂにおいて集荷すると共に、上記商品を複数のサテライト１４のうち任意のサテライト１４に配達する。
【００８７】
第二の車両１０Ｂは、地域Ａ内における所定の乗車地点と、複数のサテライト１４のうち任意のサテライト１４との間を移動可能なものである。第二の車両１０Ｂは、利用者の端末装置１３からの情報に基づいて配車される。
【００８８】
また、上記利用者が注文した商品に関する情報には、注文情報及び集荷情報が含まれる。
【００８９】
注文情報は、利用者が商業施設３ｂに対して所定の商品を注文したことを示す情報である。注文情報は、所定のネットワークを介して商業施設３ｂ及び通信手段１８に送信される。注文情報は、端末装置１３を介して送信可能である。注文情報は、上記予約情報と同様、利用者による所定のアプリやウェブサイトのフォームへの入力や電話による通話を用いて送信可能である。注文情報には、注文した商品に関する情報、商品を注文した利用者の住所や、利用者が指定した商品の配達先となるサテライト１４等の情報が含まれる。
【００９０】
集荷情報は、注文情報に係る商品の集荷に関する情報である。集荷情報には、商品の集荷可能時刻（商業施設３ｂが商品を集荷可能な状態にすることができる時刻）が含まれる。集荷情報は、商業施設３ｂから通信手段１８に送信される。集荷情報は、例えば、商業施設３ｂに送信された注文情報を商業施設３ｂの職員が確認後、当該職員が所定事項を入力することで作成され、通信手段１８に送信される。
【００９１】
配達支援システム１Ｂにおいて、制御部１９は、利用者の注文情報に係る商品の配達支援を行うべく、第一運行計画決定処理と第二運行計画決定処理とを実行する。以下、第一運行計画決定処理及び第二運行計画決定処理について順に説明する。
【００９２】
まず、第一運行計画決定処理について説明する。
【００９３】
第一運行計画決定処理は、注文情報及び集荷情報に基づいて、第一の車両１０Ａに係る第一運行計画を決定する処理である。
【００９４】
以下では、上記第一運行計画決定処理において実行される処理について、図８のフローチャートを用いて、説明する。
【００９５】
ステップＳ４０において、制御部１９は、通信手段１８が注文情報を受信したか否かを判定する。制御部１９は、通信手段１８が注文情報を受信したと判断した場合（ステップＳ４０：ＹＥＳ）には、ステップＳ４１の処理へ移行する。一方、制御部１９は、通信手段１８が注文情報を受信していないと判断した場合（ステップＳ４０：ＮＯ）には、再度、ステップＳ４０の処理を繰り返す。
【００９６】
ステップＳ４１において、制御部１９は、通信手段１８が集荷情報を受信したか否かを判定する。制御部１９は、通信手段１８が集荷情報を受信したと判断した場合（ステップＳ４１：ＹＥＳ）には、ステップＳ４２の処理へ移行する。一方、制御部１９は、通信手段１８が集荷情報を受信していないと判断した場合（ステップＳ４１：ＮＯ）には、再度、ステップＳ４１の処理を繰り返す。
【００９７】
ステップＳ４２において、制御部１９は、第一運行計画を決定する。第一運行計画においては、注文情報に基づいて、メインルート２上に商品を集荷する商業施設３ｂ及び利用者に指定された配達先のサテライト１４が設定される。また、第一運行計画においては、集荷情報に基づいて商業施設３ｂへの集荷時間及びサテライト１４への配達時刻が設定される。このような第一運行計画は、所定のアルゴリズムによって作成される。制御部１９は、ステップＳ４２の処理を実行した後、ステップＳ４３の処理へ移行する。
【００９８】
ステップＳ４３において、制御部１９は、通信手段１８を介して利用者に対して商品の配達時刻を通知する。配達時刻は端末装置１３に送信される。これにより、利用者は、注文した商品が配達先のサテライト１４に配達される時刻を知ることができる。利用者は、商品の受け取りのために配達時刻以降の任意の時刻にサテライト１４へ向かえばよい。制御部１９は、ステップＳ４３の処理を実行した後、第一運行計画決定処理を終了する。
【００９９】
上記構成によれば、利用者は、商業施設３ｂまで行かずともサテライト１４で注文した商品を受け取ることができる。また、注文情報及び集荷情報により決定された第一運行計画に基づいて、メインルート２に第一の車両１０Ａを巡回させることで、効率的な集荷及び配達が可能となる。
【０１００】
次に、第二運行計画決定処理について説明する。
【０１０１】
第二運行計画決定処理は、利用者からの予約情報に基づいて地域Ａ内における所定の乗車地点と、複数のサテライト１４のうち任意のサテライト１４との間を第二の車両１０Ｂにより移動するための第二運行計画を決定する処理である。
【０１０２】
上記予約情報は、配車システム１Ａにおける予約情報と同様、乗車時間及び降車時間のうちの少なくとも一方、乗車地点及び降車地点が含まれる。上記乗車地点は、利用者の自宅等が考えられる。なお、上記降車地点は、複数のサテライト１４のうち任意のサテライト１４である。
【０１０３】
以下では、上記第二運行計画決定処理において実行される処理について、図９のフローチャートを用いて、説明する。
【０１０４】
ステップＳ５０において、制御部１９は、通信手段１８が予約情報を受信したか否かを判定する。制御部１９は、通信手段１８が予約情報を受信したと判断した場合（ステップＳ５０：ＹＥＳ）には、ステップＳ５１の処理へ移行する。一方、制御部１９は、通信手段１８が予約情報を受信していないと判断した場合（ステップＳ５０：ＮＯ）には、再度、ステップＳ５０の処理を繰り返す。
【０１０５】
ステップＳ５１において、制御部１９は、第二運行計画を決定する。第二運行計画においては、出発地点から到達地点までの走行ルートが設定される。上記走行ルート上には、利用者の予約情報に基づく乗車地点及び降車地点が設定される。第二運行計画は、上記乗車地点及び降車地点に、第二の車両１０Ｂが予約情報に基づく乗車時間及び降車時間に応じた時間に到着するように決定される。このような第二運行計画は、所定のアルゴリズムによって作成される。制御部１９は、ステップＳ５１の処理を実行した後、第二運行計画決定処理を終了する。
【０１０６】
上記構成によれば、利用者は、予約情報において要求した時間に第二の車両１０Ｂを利用してサテライト１４まで移動することができる。これにより、商品の受け取りに関する利便性をより向上させることができる。
【０１０７】
また、上述した配達支援システム１Ｂのように第一の車両１０Ａを用いた車両利用システム１は、商品の配達支援に限られず、他の用途にも利用可能である。例えば、第一の車両１０Ａは、メインルート２沿いの所定の施設から任意のサテライト１４までの送迎に利用可能である。
【０１０８】
配達支援システム１Ｂを送迎に利用する態様としては、学校や学習塾等の教育施設３ｃから帰宅する送迎対象者（学童）を、第一の車両１０Ａにより任意のサテライト１４まで移動させることを採用可能である。この場合、サテライト１４の待合スペース１６を学童保育施設として利用可能である。上記第一の車両１０Ａを利用した送迎は、第一運行計画決定処理と概ね同様の方法に基づいて実行可能である。
【０１０９】
また、配達支援システム１Ｂを送迎に利用する場合には、上記第一の車両１０Ａに限られず、第二の車両１０Ｂについても利用可能である。すなわち、第二の車両１０Ｂを利用して、任意のサテライト１４から送迎対象者の自宅までの送迎も可能である。この場合、第二の車両１０Ｂを利用した送迎は、第二運行計画決定処理と概ね同様の方法に基づいて実行可能である。
【０１１０】
以上の如く、本実施形態に係る配達支援システム１Ｂ（車両利用システム１）は、
所定の地域Ａ内のメインルート２（所定のルート）を走行する第一の車両１０Ａと、
前記メインルート２沿いに複数設けられた前記第一の車両１０Ａのサテライト１４（停留地点）と、
前記メインルート２沿いの商業施設３ｂに対する前記利用者の注文情報と前記商業施設３ｂからの前記注文情報に係る商品の集荷情報とを受け付ける通信手段１８（受付手段）と、
前記注文情報及び前記集荷情報に基づいて、前記第一の車両１０Ａが前記商品を集荷し、前記サテライト１４に配達するための運行計画（第一運行計画）を決定する制御部１９（運行計画決定手段）と、
前記利用者に対して、前記商品が前記サテライト１４に配達される時刻を通知する通信手段１８（通知手段）と、
を具備するものである。
【０１１１】
このように構成することにより、注文した商品を好適に受け取ることができる。すなわち、上記構成としたことで、利用者は、商業施設３ｂまで行かずともサテライト１４で注文した商品を受け取ることができる。また、注文情報及び集荷情報により決定された第一運行計画に基づいて、メインルート２に第一の車両１０Ａを巡回させることで、効率的な集荷及び配達が可能となる。また、例えば、宅配サービスを利用した場合には、商品の受け取り時刻が所定の幅を持たせて設定されることから、利用者は特定の時間帯に自宅５に滞在する必要があるが、上記構成によれば、商品がサテライト１４に配達される時刻以降の任意の時間にサテライト１４に行けば、商品を受け取ることができ、利便性を向上させることができる。
【０１１２】
また、前記制御部１９は、
前記注文情報及び前記集荷情報に基づいて、前記商品を集荷する前記商業施設３ｂ及び前記商品を配達する前記サテライト１４を決定すると共に、当該商業施設３ｂ及び当該サテライト１４に停車するように第一運行計画を決定するものである。
【０１１３】
このように構成することにより、注文情報及び集荷情報に基づいて、停止する商業施設３ｂ及びサテライト１４を決定することで、より効率的な集荷及び配達が可能となる。
【０１１４】
また、前記第一の車両１０Ａは、
少なくともメインルート２を自動運転により走行する自動運転車両であるものである。
【０１１５】
このように構成することにより、第一の車両１０Ａの運転にかかるコストを軽減することができる。また、第一の車両１０Ａの運転にかかる人的負担を軽減することで、第一の車両１０Ａの稼働時間や運行本数を増やすことができる。
【０１１６】
また、配達支援システム１Ｂは、
前記地域Ａ内における所定の乗車地点と前記サテライト１４との間を移動可能な第二の車両１０Ｂを更に具備し、
前記通信手段１８は、前記第二の車両１０Ｂに対する乗車時間及び降車時間のうちの少なくとも一方と、前記乗車地点と、前記複数の停留地点のうち任意のサテライト１４と、を含む前記利用者からの当該第二の車両１０Ｂの利用のための予約情報を受け付け、
前記制御部１９は、
前記予約情報に基づいて前記第二の車両１０Ｂの運行計画（第二運行計画）を決定するものである。
【０１１７】
このように構成することにより、注文した商品をより好適に受け取ることができる。すなわち、利用者は、予約情報において要求した時間に第二の車両１０Ｂを利用してサテライト１４まで移動し、注文した商品を受け取ることができる。
【０１１８】
前記メインルート２は、
前記地域Ａ内の所定の施設（教育施設３ｃ）に沿うように設定されており、
前記第一の車両１０Ａは、
前記教育施設３ｃから前記サテライト１４まで送迎対象者を送迎可能とされているものである。
【０１１９】
このように構成することにより、第一の車両１０Ａを、所定の教育施設３ｃからサテライト１４までの送迎のための車両として利用することができる。
【０１２０】
なお、本実施形態に係るメインルート２は、本発明に係る所定のルートの実施の一形態である。
また、本実施形態に係るサテライト１４は、本発明に係る停留地点の実施の一形態である。
また、本実施形態に係る通信手段１８は、本発明に係る受付手段及び通知手段の実施の一形態である。
また、本実施形態に係る制御部１９は、本発明に係る運行計画決定手段の実施の一形態である。
【０１２１】
以上、本発明の実施形態を説明したが、本発明は上記構成に限定されるものではなく、特許請求の範囲に記載された発明の範囲内で種々の変更が可能である。
【０１２２】
例えば、本実施形態に係る配車システム１Ａとしては、上述した実施形態の構成に限られない。具体的には、配車システム１Ａの構成を以下のようにしてもよい。
【０１２３】
本実施形態では、優先順位決定処理において、所定の期間内に、同一の利用者の利用回数が所定回数を超えた場合は、当該利用者の優先順位を下げる構成とした例を示したが、このような構成に限られない。例えば、利用回数に関わらず、利用者の優先順位を下げない構成としてもよい。
【０１２４】
また、本実施形態では、配車計画の決定後において、配車計画変更処理を実行可能とした例を示したが、このような構成に限られない。例えば、配車計画変更処理を実行しない構成としてもよい。
【０１２５】
また、本実施形態では、車両１０を自動運転車両としたが、このような構成に限られない。例えば、車両１０を自動運転不能な車両としてもよい。
【０１２６】
また、本実施形態では、車両１０をメインルート２及びサブルート４を走行するものとした例を示したが、このような構成に限られない。例えば、車両１０をメインルート２及びサブルート４以外の道路も走行するものとしてもよい。
【０１２７】
また、例えば、本実施形態に係る配達支援システム１Ｂとしては、上述した実施形態の構成に限られない。具体的には、配達支援システム１Ｂの構成を以下のようにしてもよい。
【０１２８】
また、本実施形態では、配達支援システム１Ｂを、メインルート２沿いの所定の施設から任意のサテライト１４までの送迎に利用可能とした例を示したが、このような構成に限られない。例えば、配達支援システム１Ｂを、送迎に利用不能なものとしてもよい。この場合、第一の車両１０Ａは、荷物の積載に特化した車両としてもよい。
【０１２９】
また、本実施形態では、配達先となるサテライト１４を、利用者が指定したサテライト１４とした例を示したが、このような構成に限られない。例えば、配達先となるサテライト１４を、利用者が指定していないサテライト１４としてもよい。この場合は、配達先となるサテライト１４を、利用者の住宅５に最も近いサテライト１４としてもよい。
【０１３０】
また、本実施形態では、配達支援システム１Ｂにおいて地域Ａ内における所定の乗車地点と複数のサテライト１４のうち任意のサテライト１４との間を移動可能な第二の車両１０Ｂを用いた構成とした例を示したが、このような構成に限られない。例えば、第二の車両１０Ｂを用いない構成としてもよい。
【符号の説明】
【０１３１】
１      車両利用システム
２      メインルート（所定のルート）
３ｂ    商業施設
３ｃ    教育施設
１Ｂ    配達支援システム
１０Ａ  第一の車両
１０Ｂ  第二の車両
１８    受付手段、通知手段（通信手段）
１９    運行計画決定手段（制御部）
Ａ      地域
【図１】
2020187521.tif 000003
【図２】
2020187521.tif 000004
【図３】
2020187521.tif 000005
【図４】
2020187521.tif 000006
【図５】
2020187521.tif 000007
【図６】
2020187521.tif 000008
【図７】
2020187521.tif 000009
【図８】
2020187521.tif 000010
【図９】
2020187521.tif 000011